(57)【要約】      （修正有）【課題】ブラシ本体が容易に取り外せて洗浄することができ、常に衛生さを保つことができる電動ヘアブラシを提供する。【解決手段】電動ヘアブラシＡは、表面側に複数の金属ピン５１ａを有するブラシ部本体５０と、当該ブラシ部本体５０が取り付けられるハンドル本体１０とから構成され、ハンドル本体１０は、ハンドル部２０とブラシ固定部３０とから構成され、ブラシ部本体５０は、ブラシ固定部３０に対して着脱可能に構成されており、ハンドル本体１０に、ブラシ部本体５０を着脱するための着脱操作構造４０を備え、ブラシ部本体５０及びハンドル本体１０の双方をそれぞれ防水構造としたものである。【選択図】図５
0003214866.tif 000002
【実用新案登録請求の範囲】
【請求項１】
表面側に複数の金属ピンを有するブラシ部本体と、当該ブラシ部本体が取り付けられるハンドル本体とから構成され、
前記ハンドル本体は、ハンドル部とブラシ固定部とから構成され、
前記ブラシ部本体は、前記ブラシ固定部に対して着脱可能に構成されており、
前記ハンドル本体に、前記ブラシ部本体を着脱するための着脱操作構造を備えた
ことを特徴とする電動ヘアブラシ。
【請求項２】
ブラシ部本体に磁石を設け、ハンドル本体に振動モータを設けた
ことを特徴とする請求項１に記載の電動ヘアブラシ。
【請求項３】
ブラシ部本体は、金属ピンからなるブラシを取り付ける基体となる導電ゴム部と、取付カバーと、少なくとも表面金属製の導電リングと、裏板カバーとから構成され、
前記導電ゴム部の周辺部を、取付カバーと導電リングと裏板カバーとで挟持固定し、
内部に中空部を形成した
ことを特徴とする請求項１又は２に記載の電動ヘアブラシ。
【請求項４】
裏板カバーに凹部を設け、当該凹部の内面側、あるいは、その周辺部又はその双方に磁石を取り付け、
ハンドル本体のブラシ固定部に振動モータ配設部となる凸部を設け、
当該ブラシ固定部の凸部と裏板カバーの凹部とが嵌合するように構成した
ことを特徴とする請求項３に記載の電動ヘアブラシ。
【請求項５】
導電ゴム部と磁石との間にクッション体を介在させた
ことを特徴とする請求項３又は４に記載の電動ヘアブラシ。
【請求項６】
ブラシ部本体及びハンドル本体の双方を、それぞれ防水構造とした
ことを特徴とする請求項１〜５のいずれか１項に記載の電動ヘアブラシ。
【考案の詳細な説明】
【技術分野】
【０００１】
本発明は、ブラシ部本体とハンドル本体とが着脱可能な電動ヘアブラシに関する。
【背景技術】
【０００２】
従来より、下記特許文献に示されるヘアブラシが考案されている。当該ヘアブラシは、ブラシ本体の内部に振動発生装置が設けられたヘアブラシにおいて、ブラシ本体の表側に設けられたドーム形状の弾性を有するラバーパッドに間隔をあけて植設された多数のピンを金属又は金属メッキを有して形成する一方、ラバーパッドの裏面に磁石を設けることによって、多数のピンに磁力を付与すると共に、夫々のピンに振動発生装置による振動が伝達されるように構成したものである。
【先行技術文献】
【特許文献】
【０００３】
【特許文献１】特開２００７−３７９７８号公報
【考案の概要】
【考案が解決しようとする課題】
【０００４】
しかしながら、上記従来のヘアブラシは、振動発生装置及び磁石を有するものの、ブラシ本体がワンタッチ操作によりヘアブラシから取り外せる構造にはなっていないために、ヘアブラシを取り外して洗浄することは考慮されていない構造であった。
【０００５】
本考案は、上記の欠点を解消し、ブラシ本体が容易に取り外せて洗浄することができ、常に衛生さを保つことができる電動ヘアブラシを提供することを目的とする。
【課題を解決するための手段】
【０００６】
本考案の請求項１に係る電動ヘアブラシは、表面側に複数の金属ピンを有するブラシ部本体と、当該ブラシ部本体が取り付けられるハンドル本体とから構成され、前記ハンドル本体は、ハンドル部とブラシ固定部とから構成され、前記ブラシ部本体は、前記ブラシ固定部に対して着脱可能に構成されており、前記ハンドル本体に、前記ブラシ部本体を着脱するための着脱操作構造を備えたことを特徴とする。
【０００７】
着脱操作構造の具体例としては、ハンドル本体には、ハンドル本体内に入出する作用軸を備える着脱ボタンと作用軸の上下によりスライドするスライド係止部とを設け、ブラシ部本体には、ブラシ部本体に固定された係止部を設け、ハンドル本体とブラシ部本体との着脱はハンドル本体のスライド係止部とブラシ部本体の係止部との係合の着脱によって行われるように構成し、着脱ボタンを押し下げることによりスライド係止部を作動させて、スライド係止部とブラシ部本体の係止部との係合を外す着脱構造としてもよい。
【０００８】
本考案の請求項２に係る電動ヘアブラシは、上記請求項１に記載の構成に加えて、ブラシ部本体に磁石を設け、ハンドル本体に振動モータを設けたことを特徴とする。
【０００９】
本考案の請求項３に係る電動ヘアブラシは、請求項１又は２に記載の構成に加えて、ブラシ部本体は、金属ピンからなるブラシを取り付ける基体となる導電ゴム部と、取付カバーと、少なくとも表面金属製の導電リングと、裏板カバーとから構成され、前記導電ゴム部の周辺部を、取付カバーと導電リングと裏板カバーとで挟持固定し、内部に中空部を形成したことを特徴とする。
【００１０】
なお、導電ゴム部としては、その素材自体に防水性を有するものを使用してもよく、また、導電ゴム部における金属ピンのピン取付部に防水用のシートを設け、導電ゴム部におけるピン孔からの水の浸入を防止するようにしてもよい。
【００１１】
また、金属ピンには中空部を介して磁石による磁力が付与される。さらに、電動ヘアブラシの使用時において、金属ピンに帯電された静電気は、導電リングを通じ、人体を介して放電される。
【００１２】
本考案の請求項４に係る電動ヘアブラシは、上記請求項３に記載の構成に加えて、裏板カバーに凹部を設け、当該凹部の内面側に、あるいは、その周辺部又はその双方に磁石を取り付け、ハンドル本体のブラシ固定部に振動モータ配設部となる凸部を設け、当該ブラシ固定部の凸部と裏板カバーの凹部とが嵌合するように構成したことを特徴とする。
【００１３】
すなわち、ハンドル本体全体の厚みを抑えるために、振動モータを配設する部分のみが凸部になるように形成して振動モータを配設する空間を形成し、裏板カバーの前記凹部は、前述したハンドル本体に設けられる振動モータ配設部に形成される凸部が収納される凹部とする。
【００１４】
本考案の請求項５に係る電動ヘアブラシは、上記請求項３又は４に記載の構成に加えて、導電ゴム部と磁石との間にクッション体を介在させたことを特徴とする。
【００１５】
本考案の請求項６に係る電動ヘアブラシは、上記請求項１〜５のいずれか１項に記載の構成に加えて、ブラシ部本体及びハンドル本体の双方を、それぞれ防水構造としたことを特徴とする。
【００１６】
具体的には、ハンドル本体は、ハンドル部とブラシ固定部とから形成され、ブラシ固定部には、振動モータと振動子がカバー部で防水構造になるように固定される。
【００１７】
また、ハンドル部には充電式電池及びスイッチボタンを設け、これら充電式電池及びスイッチボタンを防水構造で形成した防水室に収納する。
【考案の効果】
【００１８】
本考案に係る電動ヘアブラシは、ブラシ本体が容易に取り外せるので、ブラシ本体を洗浄することができて衛生的な状態を維持できる。
【図面の簡単な説明】
【００１９】
【図１】本発明の実施例１に係る電動ヘアブラシにおいて、ブラシ部を上方に向けた斜視図である。
【図２】電動ヘアブラシからブラシ部本体を取り外す状態を示す分解斜視図である。
【図３】ハンドル本体のみの斜視図である。
【図４】ブラシ部を下方に向けた電動ヘアブラシの側面図である。
【図５】図４の長手方向の断面図である。
【図６】図５におけるブラシ固定部とブラシ部本体とを示す一部拡大図付き部分拡大断面図である。
【図７】図６において、電動ヘアブラシからブラシ部本体が取り外せる状態した断面図である。
【図８】図７において、ハンドル本体とブラシ部本体とを分離した断面図である。
【図９】磁石の配置に関する変更例を示す断面図である。
【図１０】他のブラシ部本体に取り替えた場合を示し、図（ａ）はブラシ部本体を正面に向けて表した図であり、図（ｂ）は図（ａ）の左側面図である。
【考案を実施するための形態】
【００２０】
次に本考案の好適な実施例を添付の図面に基づいて詳細に説明する。図１〜図１０は本発明の実施例である電動ヘアブラシＡに関するものである。
【実施例１】
【００２１】
図１〜図４に示すように、電動ヘアブラシＡは、ハンドル本体１０と当該ハンドル本体１０に取り付けられるブラシ部本体５０とから構成される。
【００２２】
ハンドル本体１０は、ハンドル部２０とブラシ固定部３０とから構成され、前記ブラシ部本体５０はブラシ固定部３０に対して、図１及び図２に示すように着脱可能に構成されており、図４に示すように、ハンドル本体１０にブラシ部本体５０を着脱するための着脱操作構造４０を備えている。
【００２３】
ブラシ部本体５０は、その表面側にブラシ５１を構成する複数の金属ピン５１ａが植設されている。ブラシ部本体５０は、矩形状をなしていて、前記のブラシ５１と、導電ゴム部５２、取付カバー５３、導電リング５４、及び、図５に示す裏板カバー５５とから構成される。
【００２４】
次に、図５及び図６の断面図を使用して電動ヘアブラシＡの構造を説明する。特にブラシ固定部３０及びブラシ部本体５０の構造については主として図６の拡大断面図を使用する。
【００２５】
前記導電ゴム部５２は、ブラシ５１を取り付ける基体となるものであって、その素材自体が防水性を有するものを使用してもよく、また、導電ゴム部５２における金属ピン５１ａのピン取付部５１ｂ、詳細にはブラシ５１が植設される側とは反対の裏面側に出ている金属ピン５１ａの基部を、例えば本実施例のように防水用シート５２ｂにより被覆し、導電ゴム部５２に形成される金属ピン５１ａのピン孔５２ａから水等の液体がブラシ部本体５０内に入らないように構成してもよい。
【００２６】
前記導電ゴム部５２は、その周辺には前述の取付カバー５３及び導電リング５４が配されており、各図に示すように、ブラシ部本体５０の裏面（各図においてはブラシ部本体５０の上部側）となる前記裏板カバー５５に配されており、導電ゴム部５２の周辺部は、図６に示すように、取付カバー５３と導電リング５４とで挟持され、かつ、裏板カバー５５に密閉された状態で固定されており、これによって、ブラシ部本体５０の内部には防水構造の中空部５６が形成されている。
【００２７】
このようにブラシ部本体５０は、防水性に優れるので、濡れた髪に対して使用しても、また、洗浄しても、内部に水分が浸入せず水分浸入による劣化やトラブルが防止できて耐久性に優れる。
【００２８】
このブラシ部本体５０における中空部５６には、裏板カバー５５に対して磁石５７が取り付けられている。具体的には、図８の分解断面図に示すように、裏板カバー５５には、下向きの凹部５５ａが形成されており、磁石５７は、この凹部５５ａの内面側、すなわち中空部５６側に取り付けられている。この磁石５７により中空部を介して金属ピン５１ａに磁力が付与される。ブラシ部本体５０とハンドル本体１０とが着脱できる構造において、ブラシ部本体５０側に金属ピン５１ａと磁石５７とを近距離にして組み立てることができ、磁力を弱めることなく金属ピン５１ａに伝えることができる。また、図９の変更例に示すように、磁石５７を凹部５５ａの内面側に設けると共に、磁石５７’を凹部５５ａの周辺部に取り付けて、磁力を強化してもよい。
【００２９】
また、電動ヘアブラシＡの使用時において、金属ピン５１ａに帯電された静電気は、導電リング５４を通じ、人体を介して放電されることになる。しかも、ブラシの手入れ時には、ブラシ部本体５０を手で持ってハンドル本体１０から着脱することになり、着脱作業時に手が導電リング５４に自然に接触するので、普通に使用しているだけで自然に静電気が放電できる効果がある。
【００３０】
また、中空部５６には、当該磁石５７と防水用のシート５２ｂとの間にはスポンジ等から構成されるクッション体５８が配されている。このクッション体５８によって導電ゴム部５２のクッション性、すなわちブラシ５１のクッション性を向上させている。このように導電ゴム部５２と磁石５７との間にクッション体５８を介在させているので、ブラシ部本体５０のクッション性が向上するので、頭皮を過度に刺激しない効果がある。
【００３１】
そして、図８に示すように、前記の裏板カバー５５に形成した下向きの凹部５５ａは、後述するブラシ固定部３０の内部カバー３１に形成された下向きの凸部３１ａが嵌まり込むようになっている。
【００３２】
ブラシ固定部３０は、外部カバー部１１ａと内部カバー３１とによってその輪郭が構成される。外部カバー部１１ａは、ハンドル本体１０を構成するケース１１において、そのブラシ固定部３０の上方側の位置に相当する部分である。内部カバー３１は、外部カバー部１１ａの下方の位置にあって、ブラシ部本体５０の裏板カバー５５側に対向して配される。ブラシ固定部３０は、外部カバー部１１ａと内部カバー３１とによって密閉された状態に構成されており、この外部カバー部１１ａと内部カバー３１とにより囲まれる防水構造の密閉空間により振動モータ配設部３２が形成され、当該振動モータ配設部３２に振動モータ３３が配置されている。
【００３３】
前記振動モータ３３は、偏心した長円板状の振動子３３ａがモータ回転軸に取り付けられており、モータ回転軸が回転すると振動子３３ａが揺動回転し、その揺動がブラシ部本体５０に伝わって、ブラシ部本体５０が振動する作用をする。
【００３４】
また、配線は省略するが、図５に示すように、ハンドル部２０には、その内部の防水室２１に、振動モータ３３に給電する充電式電池３４が収納されており、また、充電式電池３４と振動モータ３３との配線間に介在するスイッチ３５が収納されており、スイッチボタン３５ａを押すことにより振動モータ３３のＯＮ／ＯＦＦの切替ができるようになっている。なお、防水室２１を防水構造とするために、スイッチボタン３５ａの箇所を防水室２１側からスイッチボタン３５ａに対して防水シート３６が被覆されている。
【００３５】
もちろん給電方法は充電式電池に限られるものではなく、充電式電池に代えて通常の乾電池を使用したり、電気コードを付けて商用電気を直接使用するようにしてもよい。また、スイッチはこれに限られるものではなく、スライド式のスイッチを使用してもよい。
【００３６】
なお、ハンドル部２０における右端部には、嵌合式のキャップ２２が嵌め込まれており、その内部には充電式電池３４の充電用電極３４ａが露出していて、充電式電池３４に充電できるようになっている。
【００３７】
前記内部カバー３１には、図８に示すように、振動モータ３３を配置する振動モータ配設部３２を形成するために下向きの凸部３１ａが形成されており、当該凸部３１ａに対応して前述した裏板カバー５５に下向きの凹部５５ａが形成されていて、凸部３１ａと凹部５５ａとが隙間なく嵌まり込むようになっている。これにより、電動ヘアブラシＡ全体に無駄な空間を形成することがないので、その厚みを抑えることができ、全体的にコンパクトになる。
【００３８】
次に、図６の拡大図を使用して、前記ハンドル本体１０、すなわち前記ブラシ固定部３０と前記ブラシ部本体５０との着脱構造について説明する。
【００３９】
図６に示すように、ハンドル本体１０側には、着脱操作構造４０として、スライド係止部４１とスライド係止部４１を作動させるための着脱ボタン４２とが設けられている。
【００４０】
着脱ボタン４２には先端が傾斜面の作用軸４３が垂直方向に設けられており、着脱ボタン４２を押し下げると作用軸４３はハンドル本体１０の内部に押し込まれ、押し下げ力を解除すると、後述するバネ４５により着脱ボタン４２は元の位置に押し上げられる。また、着脱ボタン４２は、作用軸４３を含めて蛇腹状の防水ベローズ４４により覆われており、着脱ボタン４２が上下する孔を防水している。
【００４１】
スライド係止部４１は、内部カバー３１の上面に、図６の一部拡大図において矢符ａで示すように水平方向にスライド可能に設けられており、スライド係止部４１の一端は内部カバー３１の壁面にバネ４５により係止されている。そのため、バネ４５はスライド係止部４１の所定位置を維持しつつ、スライド係止部４１に加わる外力に対しては元の所定位置に戻るように付勢されている。また、スライド係止部４１の上面は、前記作用軸４３の傾斜面と同一の傾きを有する傾斜面を有している。そのため、作用軸４３を押し下げると、作用軸４３の垂直方向の押し下げ力がスライド係止部４１を水平方向に移動させる水平方向の押込力に変換され、その結果、スライド係止部４１を水平方向に移動させる作用をする。また、作用軸４３の押し下げを解除すると、バネ４５によりスライド係止部４１が元の位置に押し戻され、前記とは逆の作用により作用軸４３を押し上げるので、着脱ボタン４２を元の位置に戻す作用をする。
【００４２】
一方、ブラシ部本体５０側には、ブラシ部本体５０を構成する裏板カバー５５に、前記内部カバー３１を貫通する係止部５５ｂが垂直方向に突設されている。当該係止部５５ｂは、その垂直方向中間位置にスライド係止部４１の端部が通過できる溝５５ｃが形成されている。
【００４３】
以上の着脱操作構造４０の構成により、図５及び図６に示すように、ブラシ部本体５０がハンドル本体１０に取着されている状態、すなわち、スライド係止部４１の端部が係止部５５ｂの溝５５ｃに係合している状態から、図７に示すように、着脱ボタン４２を押し下げると、スライド係止部４１が、図５及び図６の状態から左側に移動すると共にスライド係止部４１の右端部の鉤部が係止部５５ｂの溝５５ｃから外れて、スライド係止部４１と係止部５５ｂとの係合が解除される。この状態において、ブラシ部本体５０はハンドル本体１０に係合している個所がないので、図８に示すように、ブラシ部本体５０をハンドル本体１０から取り外すことができる。すなわち、図６の一部拡大図に示す状態においてスライド係止部４１が左に移動すると、矢符ｂで示すように、係止部５５ｂは出入穴３１ｂを上下移動することが可能となり、係止部５５ｂを出入穴３１ｂから引き出すことができ、ハンドル本体１０からブラシ部本体５０を取り外すことができる。ブラシ部本体５０を取り外して着脱ボタン４２の押し下げ力を解除するとバネ４５によりスライド係止部４１が元の位置に押し戻され、着脱ボタン４２が元の位置に戻ると共に出入穴３１ｂが閉塞される。
【００４４】
ブラシ部本体５０をハンドル本体１０に装着するときには、着脱ボタン４２を押し下げ、これによりスライド係止部４１を移動させて出入穴３１ｂ開口し、係止部５５ｂを挿入した後、着脱ボタン４２の押し下げを解除するとバネ４５によりスライド係止部４１が元の位置に押し戻されてスライド係止部４１の右端部の鉤部が係止部５５ｂの溝５５ｃ内に進行し、スライド係止部４１と係止部５５ｂとが係合することにより、ブラシ部本体５０がハンドル本体１０に装着される。
【００４５】
上記のように、電動ヘアブラシＡは、ハンドル本体１０からブラシ部本体５０を取り外すことができるので、ハンドル本体１０に対するブラシ部本体５０の着脱構造と同一の着脱構造を有するものであれば、必要に応じて他のブラシ部本体を装着して交換使用することができる。図１０は、他の交換ブラシ部本体５０’を装着した場合を示している。
【００４６】
前述のブラシ部本体５０は幅広であって金属ピン５１ａによってブラシ５１が構成されたものであり、整髪する場合に適切であるが、図１０に示すこの交換ブラシ部本体５０’は、細幅であって合成樹脂ピン５１ａ’により構成された交換ブラシ５１’を使用したものであり、洗髪時に適切である。
【００４７】
上記のように電動ヘアブラシＡを構成したことにより、着脱ボタン４２を操作するだけでブラシ部本体５０をハンドル本体１０から容易に取り外すことができるので、ブラシ部本体５０を洗浄することができて衛生状態を保つことができる。また、ブラシ部本体５０及びハンドル本体１０の双方をそれぞれ防水構造とした場合には、濡れた髪に対して使用しても電動ヘアブラシＡの内部に水分が入り込まず、水分侵入による劣化やトラブルが防止できる。
【００４８】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された発明とその均等の範囲に含まれるものである。
【符号の説明】
【００４９】
Ａ………電動ヘアブラシ
１０……ハンドル本体
１１ａ…外部カバー部
２０……ハンドル部
２１……防水室
２２……キャップ
３０……ブラシ固定部
３１……内部カバー
３１ａ…凸部
３１ｂ…出入穴
３２……振動モータ配設部
３３……振動モータ
３３ａ…振動子
３４……充電式電池
３４ａ…充電用電極
３５……スイッチ
３５ａ…スイッチボタン
３６……防水シート
４０……着脱操作構造
４１……スライド係止部
４２……着脱ボタン
４３……作用軸
４４……防水ベローズ
４５……バネ
５０……ブラシ部本体
５０’…交換ブラシ部本体
５１……ブラシ
５１’…交換ブラシ
５１ａ…金属ピン
５１ａ’…合成樹脂ピン
５１ｂ…ピン取付部
５２……導電ゴム部
５２ａ…ピン孔
５２ｂ…防水用のシート
５３……取付カバー
５４……導電リング
５５……裏板カバー
５５ａ…凹部
５５ｂ…係止部
５５ｃ…溝
５６……中空部
５７……磁石
５７’…磁石
５８……クッション体
【図１】
0003214866.tif 000003
【図２】
0003214866.tif 000004
【図３】
0003214866.tif 000005
【図４】
0003214866.tif 000006
【図５】
0003214866.tif 000007
【図６】
0003214866.tif 000008
【図７】
0003214866.tif 000009
【図８】
0003214866.tif 000010
【図９】
0003214866.tif 000011
【図１０】
0003214866.tif 000012